(57)【要約】【課題】幅方向に延伸するウェブの幅を迅速に修正することが可能な幅見当修正装置を提供する。【解決手段】走行するウェブＷのテンションを検出可能な第２テンション検出ローラ３０と、第２テンション検出ローラ３０により検出したテンションの検出結果に基づいて、ウェブＷのテンションを可変させて、幅方向に延伸したウェブＷの幅を修正可能なダンサーローラ２６と、を備え、ダンサーローラ２６は、幅方向に延伸するウェブＷの伸び量の増大に応じて、ウェブＷのテンションを増大させる。【選択図】図２
2010167714.tif 000002
【特許請求の範囲】
【請求項１】
走行するウェブのテンションを検出可能なテンション検出手段と、
前記テンション検出手段により検出したテンションに応じて、幅方向に延伸した前記ウェブの幅を修正可能な幅見当修正手段と、を備えたことを特徴とする幅見当修正装置。
【請求項２】
前記幅見当修正手段は、前記ウェブのテンションを可変させて、幅方向に延伸した前記ウェブの幅を修正する第１幅見当修正手段を有しており、
前記第１幅見当修正手段は、幅方向に延伸する前記ウェブの伸び量の増大に応じて、前記ウェブのテンションを増大させることを特徴とする請求項１に記載の幅見当修正装置。
【請求項３】
前記第１幅見当修正手段は、前記ウェブを印刷する印刷機に組み込まれており、前記印刷機の運転速度に対応して、前記ウェブのテンションを可変させることを特徴とする請求項２に記載の幅見当修正装置。
【請求項４】
前記第１幅見当修正手段は、予め設定されたテンション設定領域内において、前記ウェブのテンションを可変させることを特徴とする請求項２または３に記載の幅見当修正装置。
【請求項５】
前記第１幅見当修正手段は、走行する前記ウェブに印刷を行う印刷装置の走行方向上流側に設けられると共に前記ウェブに対し離接方向に移動可能なテンション調整ローラを有し、
前記テンション調整ローラは、前記ウェブのテンションを上げる場合、接触方向に移動する一方、前記ウェブのテンションを下げる場合、離間方向に移動することを特徴とする請求項２ないし４のいずれか１項記載の幅見当修正装置。
【請求項６】
前記第１幅見当修正手段は、走行する前記ウェブに印刷を行う印刷装置の走行方向上流側に設けられると共に周速を変更可能に前記ウェブに転接する第１送りローラを有し、
前記第１送りローラは、前記ウェブのテンションを上げる場合、その周速を遅くする一方、前記ウェブのテンションを下げる場合、その周速を速くすることを特徴とする請求項２ないし５のいずれか１項に記載の幅見当修正装置。
【請求項７】
前記第１幅見当修正手段は、走行する前記ウェブに印刷を行う印刷装置の走行方向下流側に設けられると共に周速を変更可能に前記ウェブに転接する第２送りローラを有し、
前記第２送りローラは、前記ウェブのテンションを上げる場合、その周速を速くする一方、前記ウェブのテンションを下げる場合、その周速を遅くすることを特徴とする請求項２ないし６のいずれか１項に記載の幅見当修正装置。
【請求項８】
走行する前記ウェブに印刷を行う印刷装置の走行方向上流側に配設された給紙装置には、送り出される前記ウェブのテンションを変更可能な給紙側テンション調整手段が備えられており、
前記給紙側テンション調整手段は、前記第１幅見当修正手段による前記ウェブのテンションの変更に応じて、送り出される前記ウェブのテンションを変更することを特徴とする請求項２ないし７のいずれか１項に記載の幅見当修正装置。
【請求項９】
前記幅見当修正手段は、幅方向において前記ウェブの一部を突出させて、幅方向に延伸した前記ウェブの幅を修正する第２幅見当修正手段を有しており、
前記第２幅見当修正手段は、幅方向に延伸する前記ウェブの伸び量の増大に応じて、前記ウェブの突出量を増大させることを特徴とする請求項１ないし８のいずれか１項に記載の幅見当修正装置。
【請求項１０】
前記第２幅見当修正手段は、前記ウェブの幅方向に列設された複数のローラを有するローラ部と、前記ローラ部を前記ウェブに対し離接方向に進退移動させる進退移動手段と、を備えたことを特徴とする請求項９に記載の幅見当修正装置。
【請求項１１】
前記テンション検出手段は、前記第２幅見当修正手段に備えられた圧力検出手段であることを特徴とする請求項９または１０に記載の幅見当修正装置。
【請求項１２】
前記テンション検出手段は、走行する前記ウェブに印刷を行う印刷装置の走行方向上流側に設けられた第１送りローラと、前記印刷装置の走行方向下流側に設けられた第２送りローラとの間のウェブ走行径路上に設けられていることを特徴とする請求項１ないし１０のいずれか１項に記載の幅見当修正装置。
【請求項１３】
前記テンション検出手段は、前記印刷装置のウェブ出口側近傍に設けられていることを特徴とする請求項１２に記載の幅見当修正装置。
【請求項１４】
前記印刷装置には、走行する前記ウェブに転接する印刷胴が色毎に複数配設されており、
前記テンション検出手段は、前記各印刷胴間に配設されていることを特徴とする請求項１２に記載の幅見当修正装置。
【請求項１５】
前記幅見当修正手段は、使用される前記ウェブの種類に応じて、幅方向に延伸した前記ウェブの幅を修正することを特徴とする請求項１ないし１４のいずれか１項に記載の幅見当修正装置。
【請求項１６】
前記幅見当修正手段は、前記ウェブに印刷される絵柄の印刷領域の割合に応じて、幅方向に延伸した前記ウェブの幅を修正することを特徴とする請求項１ないし１５のいずれか１項に記載の幅見当修正装置。
【請求項１７】
巻取紙から前記ウェブを繰り出して供給する給紙装置と、
前記給紙装置から繰り出された前記ウェブに印刷を行う印刷装置と、
前記印刷装置により印刷された前記ウェブを裁断する折機と、
請求項１ないし１６のいずれか１項に記載された幅見当修正装置と、を備えたことを特徴とする印刷機。
【発明の詳細な説明】
【技術分野】
【０００１】
本発明は、幅方向へ延伸したウェブの幅を修正可能な幅見当修正装置およびこれを備えた印刷機に関するものである。
【背景技術】
【０００２】
従来、この種の幅見当修正装置として、ウェブ料紙を一方の面から押圧する押圧機構と、押圧機構に連係されると共に押圧機構をウェブ料紙に対して進退移動させる第１移動機構と、第１移動機構と連係された自動制御手段と、を備えたウェブ料紙調幅装置が知られている（例えば、特許文献１参照）。そして、このウェブ料紙調幅装置の自動制御装置には、テンキー等の入力手段、ウェブ料紙の走行速度に関連する情報を得るための検出手段、ウェブ料紙の印刷画線のズレ量に関する情報を得るための検出手段等が連係されている。このため、ウェブ料紙の走行速度に関連する情報やウェブ料紙の印刷画線のズレ量に関する情報等が、自動制御装置に入力されることにより、自動制御装置は、これら情報等に基づいて第１移動機構を制御し、押圧機構を進退移動させている。
【先行技術文献】
【特許文献】
【０００３】
【特許文献１】特公平８−４５４号公報
【発明の概要】
【発明が解決しようとする課題】
【０００４】
ところで、ウェブが幅方向へ延伸することをファンアウトというが、このファンアウトが発生すると、ウェブが幅方向へ延伸するため、ウェブ上の所定の領域に印刷画線が印刷されず、ウェブに印刷された印刷画線がズレてしまう。ここで、ファンアウトが発生する原因としては、印刷時において、インキや湿し水がウェブに転写されることで、ウェブが伸びやすくなるためである。また、幅方向におけるウェブの伸び量は、ウェブ印刷時におけるウェブの走行速度、ウェブへ塗布されるインキや湿し水の塗布量やウェブの紙種（紙質、紙サイズや紙厚）等によっても変化する。
【０００５】
このとき、上記した従来のウェブ料紙調幅装置の自動制御装置では、ウェブ料紙の走行速度に関連する情報やウェブ料紙の印刷画線のズレ量に関する情報等に基づいて、第１移動機構を制御して押圧機構を進退移動させている。このため、例えば、ウェブに転写されるインキや湿し水の塗布量が変化した場合、自動制御装置は、ウェブ料紙の印刷画線のズレ量に関する情報のみに基づいて、第１移動機構を制御することとなる。換言すれば、自動制御装置は、ウェブ料紙に対する印刷画線のズレを検出してから、すなわち、ファンアウトが発生してから、ウェブ料紙の調幅を行うことになるため、ウェブ料紙に対する印刷画線のズレを迅速に解消することは困難となる。
【０００６】
そこで、本発明は、幅方向に延伸するウェブの幅を迅速に修正することが可能な幅見当修正装置およびこれを備えた印刷機を提供することを課題とする。
【課題を解決するための手段】
【０００７】
本発明の幅見当修正装置は、走行するウェブのテンションを検出可能なテンション検出手段と、テンション検出手段により検出したテンションに応じて、幅方向に延伸したウェブの幅を修正可能な幅見当修正手段と、を備えたことを特徴とする。
【０００８】
この場合、幅見当修正手段は、ウェブのテンションを可変させて、幅方向に延伸したウェブの幅を修正する第１幅見当修正手段を有しており、第１幅見当修正手段は、幅方向に延伸するウェブの伸び量の増大に応じて、ウェブのテンションを増大させることが、好ましい。
【０００９】
また、この場合、第１幅見当修正手段は、ウェブを印刷する印刷機に組み込まれており、印刷機の運転速度に対応して、ウェブのテンションを可変させることが、好ましい。
【００１０】
また、この場合、第１幅見当修正手段は、予め設定されたテンション設定領域内において、ウェブのテンションを可変させることが、好ましい。
【００１１】
また、この場合、第１幅見当修正手段は、走行するウェブに印刷を行う印刷装置の走行方向上流側に設けられると共にウェブに対し離接方向に移動可能なテンション調整ローラを有し、テンション調整ローラは、ウェブのテンションを上げる場合、接触方向に移動する一方、ウェブのテンションを下げる場合、離間方向に移動することが、好ましい。
【００１２】
また、この場合、第１幅見当修正手段は、走行するウェブに印刷を行う印刷装置の走行方向上流側に設けられると共に周速を変更可能にウェブに転接する第１送りローラを有し、第１送りローラは、ウェブのテンションを上げる場合、その周速を遅くする一方、ウェブのテンションを下げる場合、その周速を速くすることが、好ましい。
【００１３】
また、この場合、第１幅見当修正手段は、走行するウェブに印刷を行う印刷装置の走行方向下流側に設けられると共に周速を変更可能にウェブに転接する第２送りローラを有し、第２送りローラは、ウェブのテンションを上げる場合、その周速を速くする一方、ウェブのテンションを下げる場合、その周速を遅くすることが、好ましい。
【００１４】
また、この場合、走行するウェブに印刷を行う印刷装置の走行方向上流側に配設された給紙装置には、送り出されるウェブのテンションを変更可能な給紙側テンション調整手段が備えられており、給紙側テンション調整手段は、第１幅見当修正手段によるウェブのテンションの変更に応じて、送り出されるウェブのテンションを変更することが、好ましい。
【００１５】
また、この場合、幅見当修正手段は、幅方向においてウェブの一部を突出させて、幅方向に延伸したウェブの幅を修正する第２幅見当修正手段を有しており、第２幅見当修正手段は、幅方向に延伸するウェブの伸び量の増大に応じて、ウェブの突出量を増大させることが、好ましい。
【００１６】
また、この場合、第２幅見当修正手段は、ウェブの幅方向に列設された複数のローラを有するローラ部と、ローラ部をウェブに対し離接方向に進退移動させる進退移動手段と、を備えたことが、好ましい。
【００１７】
また、この場合、テンション検出手段は、第２幅見当修正手段に備えられた圧力検出手段であることが、好ましい。
【００１８】
また、この場合、テンション検出手段は、走行するウェブに印刷を行う印刷装置の走行方向上流側に設けられた第１送りローラと、印刷装置の走行方向下流側に設けられた第２送りローラとの間のウェブ走行径路上に設けられていることが、好ましい。
【００１９】
また、この場合、テンション検出手段は、印刷装置のウェブ出口側近傍に設けられていることが、好ましい。
【００２０】
また、この場合、印刷装置には、走行するウェブに転接する印刷胴が色毎に複数配設されており、テンション検出手段は、各印刷胴間に配設されていることが、好ましい。
【００２１】
また、この場合、幅見当修正手段は、使用されるウェブの種類に応じて、幅方向に延伸したウェブの幅を修正することが、好ましい。
【００２２】
また、この場合、幅見当修正手段は、ウェブに印刷される絵柄の印刷領域の割合に応じて、幅方向に延伸したウェブの幅を修正することが、好ましい。
【００２３】
本発明の印刷機は、巻取紙からウェブを繰り出して供給する給紙装置と、給紙装置から繰り出されたウェブに印刷を行う印刷装置と、印刷装置により印刷されたウェブを裁断する折機と、上記に記載された幅見当修正装置と、を備えたことを特徴とする。
【発明の効果】
【００２４】
請求項１の幅見当修正装置によれば、ウェブに加わるテンションに応じて、幅方向に延伸したウェブの幅を修正することができ、ファンアウトの発生を抑制することができる。つまり、ウェブに加わるテンションは、ウェブが幅方向へ延伸する重要な因子となっている。具体的に、テンションは、ウェブの走行速度、ウェブに転写される湿し水の塗布量、ウェブに転写されるインキの塗布量やウェブの紙種（紙質、紙サイズや紙厚）等によって変化する。このため、テンションに応じて、ウェブの幅を修正することにより、ウェブの走行速度、湿し水の供給量、インキの供給量やウェブの紙種等を加味した修正とすることができる。
【００２５】
請求項２の幅見当修正装置によれば、ウェブのテンションを変化させることにより、幅方向に延伸したウェブの幅を修正することができ、ファンアウトの発生を抑制することができる。つまり、ファンアウトが発生した場合、ウェブのテンションを増大させることで、ウェブの幅を収縮させることができるため、ウェブの幅を元に戻すことが可能となる。
【００２６】
請求項３の幅見当修正装置によれば、印刷機の運転速度に応じて、ウェブのテンションを可変させることができる。具体的に、印刷機の運転速度が速くなれば、ウェブのテンションは増大するため、テンションが増大する分、第１幅見当修正手段により、テンションを減少させる。一方で、印刷機の運転速度が遅くなれば、ウェブのテンションは減少するため、テンションが減少する分、第１幅見当修正手段により、テンションを増大させる。これにより、印刷機の運転速度に関連付けてテンションを可変させることができるため、フィードフォワード制御を実行することが可能となる。
【００２７】
請求項４の幅見当修正装置によれば、テンション設定領域内においてウェブのテンションを変化させることにより、ウェブに加わるテンションの最大限界値を超えることがないため、ウェブの断紙（紙切れ）を発生させることがなく、また、ウェブに加わるテンションの最小限界値を下回ることがないため、緩みによるウェブの幅方向への移動（紙流れ）を発生させることがない。
【００２８】
請求項５の幅見当修正装置によれば、テンション調整ローラをウェブに転接させ、テンション調整ローラを接触方向へ移動させることにより、ウェブに加わるテンションを増大させることができる。一方で、テンション調整ローラを離間方向へ移動させることにより、ウェブに加わるテンションを減少させることができる。
【００２９】
請求項６の幅見当修正装置によれば、第１送りローラをウェブに転接させ、第１送りローラの周速を遅くすることにより、ウェブに加わるテンションを増大させることができる。一方で、第１送りローラの周速を速くすることにより、ウェブに加わるテンションを減少させることができる。
【００３０】
請求項７の幅見当修正装置によれば、第２送りローラをウェブに転接させ、第２送りローラの周速を速くすることにより、ウェブに加わるテンションを増大させることができる。一方で、第２送りローラの周速を遅くすることにより、ウェブに加わるテンションを減少させることができる。
【００３１】
請求項８の幅見当修正装置によれば、給紙側テンション調整手段は、第１幅見当修正手段によるウェブのテンションの変更に応じて、給紙装置から送り出されるウェブのテンションを変更することができる。このため、第１幅見当修正手段により変更されたウェブのテンションに対し、給紙装置から送り出されるウェブのテンションを好適なものとすることができ、テンションのバランスをとることが可能となる。
【００３２】
請求項９の幅見当修正装置によれば、幅方向においてウェブの一部を突出させることにより、幅方向に延伸したウェブの幅を修正することができ、ファンアウトの発生を抑制することができる。つまり、ファンアウトが発生した場合、ウェブの突出量を増大させることで、ウェブの幅を収縮させることができるため、ウェブの幅を元に戻すことが可能となる。
【００３３】
請求項１０の幅見当修正装置によれば、進退移動手段によりローラ部をウェブに押圧することで、幅方向においてウェブの一部を突出させることができ、これにより、ウェブの幅を収縮させることができるため、幅方向に延伸したウェブの幅を修正することができる。
【００３４】
請求項１１の幅見当修正装置によれば、テンション検出手段を、例えば、ロードセル等の圧力検出手段で構成することができると共に、圧力検出手段を第２幅見当修正手段に設けることができる。このため、ローラ部をウェブに押圧することで、ウェブのテンションを検出することができると共に、検出したテンションに応じて、ウェブの突出量を可変させることができる。
【００３５】
請求項１２の幅見当修正装置によれば、テンション検出手段を、ファンアウトが発生する印刷装置の前後におけるウェブ走行径路上に設けることができるため、ウェブのテンションの検出を好適に行うことができ、ファンアウトの発生を好適に抑制することができる。
【００３６】
請求項１３の幅見当修正装置によれば、テンション検出手段を、印刷装置のウェブ出口側近傍に設けることができるため、印刷後のウェブのテンションを検出することができる。
【００３７】
請求項１４の幅見当修正装置によれば、テンション検出手段を、印刷装置の各印刷胴間に配設することができるため、各色の印刷後のウェブのテンションを検出することができる。
【００３８】
請求項１５の幅見当修正装置によれば、ウェブのテンションに加え、使用されるウェブの種類に応じて、幅方向に延伸したウェブの幅を修正することができるため、ファンアウトの発生を効果的に抑制することができる。
【００３９】
請求項１６の幅見当修正装置によれば、ウェブのテンションに加え、ウェブに印刷される絵柄の印刷領域の割合に応じて、幅方向に延伸したウェブの幅を修正することができるため、ファンアウトの発生を効果的に抑制することができる。なお、絵柄の印刷領域の割合が高ければ、ウェブに転写される湿し水の塗布量およびインキの塗布量は多くなる。
【００４０】
請求項１７の印刷機によれば、幅見当修正装置により幅方向に延伸するウェブの幅を迅速に修正することができるため、印刷装置により印刷されるウェブの印刷ズレを好適に解消することができる。
【図面の簡単な説明】
【００４１】
【図１】図１は、実施例１の幅見当修正装置が適用された輪転印刷機を表した概略図である。
【図２】図２は、幅見当修正装置周りを表した部分概略図である。
【図３】図３は、ローラ押圧機構周りを表した外観斜視図である。
【図４】図４は、第２テンション検出ローラを表した説明図である。
【図５】図５は、ウェブの走行速度に応じて変化するウェブのテンションのグラフである。
【図６】図６は、ウェブの走行速度に応じて変化するウェブのテンションのタイムチャートである。
【発明を実施するための形態】
【００４２】
以下、添付した図面を参照して、本発明に係る幅見当修正装置を適用した輪転印刷機について説明する。なお、以下の実施例によりこの発明が限定されるものではない。また、下記実施例における構成要素には、当業者が置換可能かつ容易なもの、或いは実質的に同一のものが含まれる。
【実施例１】
【００４３】
図１に示すように、実施例１における輪転印刷機１は、いわゆる新聞用オフセット輪転印刷機であり、ウェブＷの搬送方向の上流側から、複数（図示では４台）の給紙装置１１と、複数（図示では４台）のインフィード装置１２と、複数（図示では４台）の印刷装置１３ａ，１３ｂと、ウェブパス装置１４と、折機１５とから構成されている。
【００４４】
各給紙装置１１には、それぞれウェブＷがロール状に巻かれた３つの巻取紙Ｒを保持する保持アーム２０が設けられ、この保持アーム２０を回動させることで、巻取紙Ｒを給紙位置に臨ませることができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００４５】
さらに、各給紙装置１１には、回転する各巻取紙Ｒを制動することが可能な制動装置２３が、各巻取紙Ｒの軸方向片側にそれぞれ設けられている。これにより、給紙装置１１は、制動装置２３により巻取紙Ｒの回転を制動することで、給紙装置１１から送り出されるウェブＷのテンションを調整することができる。つまり、制動装置２３は、給紙装置１１から送り出されるウェブＷのテンションを変更可能な給紙側テンション調整手段として機能している。
【００４６】
各インフィード装置１２は、各ウェブＷを下流側の各印刷装置１３ａ，１３ｂへ向けて送り出すと共に、各ウェブＷのテンションを調整するものである。具体的に、インフィード装置１２は、ウェブＷの搬送方向の上流側から、図示しない駆動モータにより回転駆動するインフィードローラ２５（第１送りローラ）と、ウェブＷに対し離接方向に移動してウェブＷのテンションを調整するダンサーローラ２６（テンション調整ローラ）と、ウェブＷのテンションを検出する第１テンション検出ローラ２７と、を有している。インフィードローラ２５は、回転することによりウェブＷを下流側の印刷装置１３ａ，１３ｂへ向けて搬送し、ダンサーローラ２６は、離接方向に移動することによりウェブＷのテンションを調整している。また、第１テンション検出ローラ２７は、後述する制御部３８に接続されており、制御部３８は、第１テンション検出ローラ２７を介してウェブＷのテンションを監視している。なお、詳細は後述するが、実施例１では、インフィード装置１２のダンサーローラ２６が、第１幅見当修正手段のテンション調整ローラとして機能しており、ダンサーローラ２６がウェブＷのテンションを調整することにより、幅方向に延伸したウェブＷの幅を修正することができる。
【００４７】
複数の印刷装置１３ａ，１３ｂは、両面４色印刷を行う多色刷印刷装置１３ａと、両面２色印刷を行う２色刷印刷装置１３ｂとが設けられている。この多色刷印刷装置１３ａおよび２色刷印刷装置１３ｂは、各給紙装置１１から供給されたウェブＷに対して所定の印刷を行うことができる。なお、実施例１では、印刷装置１３ａ，１３ｂを、多色刷印刷装置１３ａと２色刷印刷装置１３ｂとにより構成したが、この構成に限定されるものではない。例えば、両面単色印刷を行う両面単色刷装置、一面４色または２色印刷を行う多色刷印刷装置など印刷物に応じて適宜各種印刷装置を組み合わせて使用すればよい。
【００４８】
ウェブパス装置１４は、図示は省略するが、ウェブＷの搬送方向に沿ってウェブＷの幅方向の中央部で裁断する複数のカッタ、裁断したウェブＷの搬送経路を設定する多数のガイドローラやターンバー等が設けられている。従って、ウェブパス装置１４では、印刷装置１３ａ，１３ｂで印刷が施された各ウェブＷをカッタにより裁断すると共に、ターンバーにより搬送経路を変更し、所定の順番に重ね合わせる。
【００４９】
折機１５は、ウェブパス装置１４から送り出された複数のウェブＷを重ねて縦折りし、所定の長さで横裁断した後、更に横折りして所望の折帖を形成するものである。
【００５０】
また、複数の印刷装置１３ａ，１３ｂとウェブパス装置１４との間には、搬送方向上流側から、ウェブＷのテンションを検出する第２テンション検出ローラ３０と、ウェブパス装置１４へ向けてウェブＷを搬送するドラグローラ３１（第２送りローラ）とがそれぞれ配設されている。すなわち、第２テンション検出ローラ３０は、印刷装置１３ａ，１３ｂの排紙口近傍に配設されている。
【００５１】
ここで、輪転印刷機１による一連の印刷動作について説明する。先ず、各給紙装置１１から各インフィード装置１２を介して各印刷装置１３ａ，１３ｂに、ウェブＷが供給されると、各印刷装置１３ａ，１３ｂでは、各ウェブＷに対して４色刷や２色刷が両面に行われる。次に、各印刷装置７で印刷が施された複数のウェブＷは、ウェブパス装置１４において、カッタにより縦裁断されると共に、走行ルートが変更され、それぞれ所定の順番に重ね合わせられる。そして、ウェブパス装置１４により重ね合わされた複数のウェブＷが折機１５に導入されると、重ね合わされた複数のウェブＷは、縦折りされた後、所定の長さで横裁断され、横折りされて所望の折帖が作成され、この後、この折帖は排紙される。
【００５２】
ところで、印刷装置１３ａ，１３ｂによりウェブＷに印刷が施されると、ウェブＷには、インキや湿し水が転写され、これにより、ウェブが幅方向に延伸するファンアウトという現象が生ずる。ファンアウトが発生すると、ウェブが幅方向に延伸することにより、印刷ズレが生じてしまう。このため、延伸したウェブを修正すべく、輪転印刷機１には、幅見当修正装置３５が設けられている。
【００５３】
具体的に、図２を参照して、輪転印刷機１に設けられた幅見当修正装置３５の構成について説明する。なお、幅見当修正装置３５は、各印刷装置１３ａ，１３ｂに応じて複数配設され、それぞれ同様の構成となっている。このため、幅見当修正装置３５を説明するに当たり、図１の図示左側の印刷装置１３ａ，１３ｂに設けられた幅見当修正装置３５を例にして説明する。
【００５４】
図２に示すように、実施例１に係る幅見当修正装置３５は、ウェブＷのテンションに応じて、幅方向に延伸したウェブＷの幅を修正するものである。幅見当修正装置３５は、インフィード装置１２に設けられ第１幅見当修正手段として機能するダンサーローラ２６と、印刷装置１３ａ，１３ｂに設けられ第２幅見当修正手段として機能するローラ押圧機構３７と、ウェブＷのテンションを検出する第２テンション検出ローラ３０と、第２テンション検出ローラ３０の検出に基づいてダンサーローラ２６およびローラ押圧機構３７を制御可能な制御部３８とを有している。
【００５５】
ダンサーローラ２６は、上記したようにインフィード装置１２内に配設され、ウェブＷに転接した状態で、ウェブＷに対し離接方向（図示では鉛直方向）に移動することで、印刷装置１３ａ，１３ｂ内を走行するウェブＷのテンションを変更している。具体的に、ダンサーローラ２６をウェブＷに対し接触方向（図示下方側）へ移動させることで、ウェブＷのテンションを増大させる一方、ダンサーローラ２６をウェブＷに対し離間方向（図示上方側）へ移動させることで、ウェブＷのテンションを減少させる。
【００５６】
次に、ローラ押圧機構３７について説明するが、ローラ押圧機構３７は印刷装置１３ａ，１３ｂ内に設けられているため、ローラ押圧機構３７の説明に先立ち、印刷装置１３ａ，１３ｂについて簡単に説明する。
【００５７】
図示左側に位置する印刷装置は、多色刷印刷装置１３ａであり、４つのインキ色である藍（Cyan）、紅（Magenta）、黄（yellow）、墨（Black）ごとの４個の印刷ユニット４０ａ，４０ｂ，４０ｃ，４０ｄで構成されている。４個の印刷ユニット４０ａ，４０ｂ，４０ｃ，４０ｄは、ウェブＷの搬送方向の上流側から、藍の印刷ユニット４０ａ、紅の印刷ユニット４０ｂ、黄の印刷ユニット４０ｃ、墨の印刷ユニット４０ｄの順に配設されている。なお、これら各印刷ユニット４０ａ，４０ｂ，４０ｃ，４０ｄの並び順は、これに限らず、所望の並び順としてもよい。そして、これら各印刷ユニット４０ａ，４０ｂ，４０ｃ，４０ｄは、ウェブＷの表面および裏面に同時に印刷可能な構成となっている。そして、この各印刷ユニット４０ａ，４０ｂ，４０ｃ，４０ｄによりウェブＷが印刷されることで、印刷後のウェブＷの両面には、所望の印刷がなされる。
【００５８】
各印刷ユニット４０ａ，４０ｂ，４０ｃ，４０ｄは、ウェブＷを挟んで対向する一対のブランケット胴４１ａ，４１ｂ，４１ｃ，４１ｄと、各ブランケット胴４１ａ，４１ｂ，４１ｃ，４１ｄに対接する一対の版胴４３ａ，４３ｂ，４３ｃ，４３ｄとを有している。このとき、藍の印刷ユニット４０ａにおける一対のブランケット胴４１ａおよび紅の印刷ユニット４０ｂにおける一対のブランケット胴４１ｂは近接されて配設されており、黄の印刷ユニット４０ｃにおける一対のブランケット胴４１ｃおよび墨の印刷ユニット４０ｄにおける一対のブランケット胴４１ｄは近接されて配設されている。
【００５９】
そして、印刷ユニット４０ａと印刷ユニット４０ｂとの間、印刷ユニット４０ｂと印刷ユニット４０ｃとの間、および印刷ユニット４０ｃと印刷ユニット４０ｄとの間には、それぞれローラ押圧機構３７が配設されている。
【００６０】
図３では、印刷ユニット４０ｂと印刷ユニット４０ｃとの間のローラ押圧機構３７を示しており、このローラ押圧機構３７は、幅方向においてウェブＷの一部を突出させることにより、幅方向に延伸したウェブＷの幅を修正している。なお、印刷ユニット４０ａと印刷ユニット４０ｂとの間、および印刷ユニット４０ｃと印刷ユニット４０ｄとの間のローラ押圧機構３７は、印刷ユニット４０ｂと印刷ユニット４０ｃとの間のローラ押圧機構３７と同様であるため、説明を省略する。ローラ押圧機構３７は、ウェブＷの幅方向に亘って設けられたローラ部５０と、ローラ部５０をウェブＷの離接方向に進退させる進退移動機構５１とを有している。
【００６１】
ローラ部５０は、同軸上において等間隔に配設された複数のローラ５５と、各ローラ５５の回転軸を軸支する複数の軸受５６と、複数の軸受５６が固定されたローラプレート５７と、で構成されている。ローラプレート５７は、平面視長方形状に形成されており、その長手方向がウェブＷの幅方向と同方向となるように配設されている。複数のローラ５５は、その軸方向がウェブＷの幅方向と同方向となるように配設されており、複数の軸受５６は、ローラプレート５７の長手方向において等間隔に配設されている。また、進退移動機構５１は上記の制御部３８に接続されており、制御部３８は進退移動機構５１を制御してローラプレート５７をウェブＷの離接方向に進退させている。
【００６２】
従って、ローラ押圧機構３７は、幅方向にウェブＷが延伸している場合、進退移動機構５１によりウェブＷに対しローラ部５０を前進させることで、複数のローラ５５をウェブＷに突き当てる。すると、複数のローラ５５がウェブＷに突き当てられることにより、ウェブＷには複数の凸面が形成され、ウェブＷは波状となる。これにより、幅方向に延伸したウェブＷは、幅方向において収縮し、印刷前のウェブＷの幅に修正することができる、すなわちファンアウトを抑制することができる。なお、複数のローラ５５によりウェブＷに形成された凸面の突出量が大きければ大きいほど、ウェブＷの収縮量が大きくなるため、幅方向における伸び量が多いウェブＷを修正することができる。
【００６３】
図４に示すように、第２テンション検出ローラ３０は、自由回転可能なローラ本体６０と、ローラ本体６０の両端部に設けられた一対のロードセル６１とを有しており、ローラ本体６０に加わるウェブＷからの圧力を一対のロードセル６１により検出することで、ウェブＷのテンションを検出している。また、一対のロードセル６１は、上記の制御部３８に接続されている。
【００６４】
ところで、ファンアウトは、上記したように、印刷装置１３ａ，１３ｂによりウェブＷに印刷を施すことにより発生するが、幅方向におけるウェブＷの伸び量は、ウェブＷの走行速度に応じて変化する。具体的に、ウェブＷの走行速度が速くなればなるほど、ウェブＷの伸び量は少なくなる。このため、制御部３８は、ファンアウトの発生を抑制すべく、図５に示すように、ウェブＷの走行速度が遅ければ、ダンサーローラ２６によりウェブのテンションを増大させる一方、ウェブＷの走行速度が速ければ、ダンサーローラ２６によりウェブＷのテンションを減少させるように制御する。
【００６５】
ここで、図６を参照して、ウェブＷの走行速度が変化した場合の幅見当修正装置３５によるウェブＷの幅の修正に関する一連の制御について説明する。先ず、ウェブＷが所定の走行速度Ｖ１で搬送されると共に幅方向におけるウェブＷの延伸が発生していない状態において、ウェブＷの走行速度Ｖ１が走行速度Ｖ２まで増加すると、ウェブＷのテンションは増大する。このため、走行速度Ｖ２におけるウェブＷの伸び量は、走行速度Ｖ１におけるウェブの伸び量に比して小さくなるため、相対的にウェブＷは幅方向に収縮する。このとき、幅見当修正装置３５は、ウェブＷの伸び量を走行速度Ｖ１と同程度とすべく、テンションが増大した分、ダンサーローラ２６によりウェブＷのテンションを減少させる。
【００６６】
一方、ウェブＷが所定の走行速度Ｖ２で搬送されると共に幅方向におけるウェブＷの延伸が発生していない状態において、ウェブＷの走行速度Ｖ２が走行速度Ｖ１まで減少すると、ウェブＷのテンションは減少する。このため、走行速度Ｖ１におけるウェブＷの伸び量は、走行速度Ｖ２におけるウェブＷの伸び量に比して大きくなるため、相対的にウェブＷは幅方向に延伸する。このとき、幅見当修正装置３５は、ウェブＷの伸び量を走行速度Ｖ２と同程度とすべく、テンションが減少した分、ダンサーローラ２６によりウェブＷのテンションを増大させる。
【００６７】
以上のように、幅見当修正装置３５によりウェブ幅の修正制御を行うことで、ウェブＷのテンションを所定のテンション（実線Ｔ１）に維持することができる。つまり、幅見当修正装置３５は、第２テンション検出ローラ３０により検出したテンションが所定のテンションとなるように、ダンサーローラ２６の離接移動をフィードバック制御している。一方、幅見当修正装置３５によるウェブ幅の修正制御を行わない場合、ウェブＷのテンションは仮想線Ｔ２のように、ウェブＷの走行速度の増加に伴って増大する。
【００６８】
なお、幅見当修正装置３５は、予め設定されたテンション設定領域内において、ウェブＷのテンションを可変させることが好ましい。具体的に、図６に示すように、テンション設定領域は、テンション下限値Ｔｌからテンション上限値Ｔｈに至る範囲であり、テンション下限値Ｔｌが１０ｋｇ、テンション上限値Ｔｈが１００ｋｇであればよい。また、テンション設定領域は、テンション下限値Ｔｌが５０ｋｇ、テンション上限値Ｔｈが７０ｋｇであることが最も好ましい。これにより、テンション上限値Ｔｈを超えてウェブＷにテンションが加わることがないため、ウェブＷの断紙（紙切れ）を発生させることがなく、また、テンション下限値Ｔｌを下回ってウェブにテンションが加わることがないため、緩みによるウェブＷの幅方向への移動（紙流れ）を発生させることがない。
【００６９】
ここで、上記では、ウェブＷの走行速度が変化した場合におけるウェブ幅の修正制御について説明したが、例えば、絵柄の変更に伴うインキおよび湿し水の塗布量の変化により、ウェブ幅が延伸した場合であっても、上記の修正制御を適用することは可能である。同様に、ウェブＷの紙種（紙質、紙サイズや紙厚）が変更された場合であっても、上記の修正制御を適用することは可能である。これらの場合、幅見当修正装置３５は、ウェブＷのテンションだけでなく、ウェブＷに印刷される絵柄の印刷領域の割合や、使用されるウェブＷの紙種に基づいて制御することが好ましい。これにより、ウェブ幅の修正精度を高めることができる。
【００７０】
さらに、幅見当修正装置３５によりウェブＷのテンションが変更された場合、この変更に合わせて、給紙装置１１の制動装置２３により、給紙装置１１から送り出されるウェブＷのテンションを適宜調整することが、好ましい。これにより、給紙装置１１から印刷装置１３ａ，１３ｂに至るウェブＷのテンションをバランスさせることができ、ウェブＷを好適に走行させることができる。
【００７１】
以上の構成によれば、第２テンション検出ローラ３０によりウェブＷのテンションを検出し、この検出結果に基づいて、ダンサーローラ２６によりウェブのテンションを変化させることで、幅方向に延伸したウェブＷの幅を修正することができ、ファンアウトの発生を抑制することができる。また、テンション設定領域内においてウェブＷのテンションを変化させることにより、紙切れや紙流れを発生させることなく、好適にウェブＷを走行させることができる。
【００７２】
なお、実施例１に係る幅見当修正装置３５では、ダンサーローラ２６によりウェブＷのテンションを変更したが、変形例１として、ダンサーローラ２６に代えて、インフィードローラ２５の周速を変更することによりウェブＷのテンションを変更しても良い。具体的に説明するに、インフィードローラ２５は制御部３８に接続され、制御部３８はインフィードローラ２５の周速を変更可能に制御している。そして、制御部３８は、インフィードローラ２５の周速を遅くすることで、ウェブＷのテンションを増大させる一方、インフィードローラ２５の周速を速くすることで、ウェブＷのテンションを減少させる。
【００７３】
この構成においても、第２テンション検出ローラ３０によりウェブＷのテンションを検出し、この検出結果に基づいて、インフィードローラ２５によりウェブのテンションを変化させることで、幅方向に延伸したウェブＷの幅を修正することができる。
【００７４】
また、変形例２として、ダンサーローラ２６に代えて、ドラグローラ３１の周速を変更することによりテンションを変更しても良い。具体的に説明するに、ドラグローラ３１は制御部３８に接続され、制御部３８はドラグローラ３１の周速を変更可能に制御している。そして、制御部３８は、ドラグローラ３１の周速を速くすることで、ウェブＷのテンションを増大させる一方、ドラグローラ３１の周速を遅くすることで、ウェブＷのテンションを減少させる。
【００７５】
この構成においても、第２テンション検出ローラ３０によりウェブＷのテンションを検出し、この検出結果に基づいて、ドラグローラ３１によりウェブＷのテンションを変化させることで、幅方向に延伸したウェブＷの幅を修正することができる。
【００７６】
さらに、実施例１に変形例１の構成および変形例２の構成を加え、ダンサーローラ２６、インフィードローラ２５およびドラグローラ３１を協働させることにより、ウェブＷのテンションを変更しても良い。
【実施例２】
【００７７】
次に、実施例２に係る幅見当修正装置について説明する。なお、重複した記載を避けるべく、異なる部分についてのみ説明する。実施例１に係る幅見当修正装置３５は、第１幅見当修正手段となるダンサーローラ２６によりウェブＷのテンションを変更することで、幅方向におけるウェブＷの延伸を修正したが、実施例２に係る幅見当修正装置では、第２幅見当修正手段となるローラ押圧機構３７によりウェブＷの一部を突出させることで、幅方向におけるウェブＷの延伸を修正している。なお、実施例２に係る幅見当修正装置の装置構成は実施例１に係る幅見当修正装置３５と同様であるため、説明を省略する。
【００７８】
具体的に、ウェブＷの走行速度が変化した場合の幅見当修正装置３５によるウェブＷの幅の修正に関する一連の制御について説明する。先ず、ウェブＷが所定の走行速度Ｖ１で搬送されると共に幅方向におけるウェブの延伸が発生していない状態において、ウェブＷの走行速度Ｖ１が走行速度Ｖ２まで増加すると、ウェブＷのテンションは増大する。このため、走行速度Ｖ２におけるウェブＷの伸び量は、走行速度Ｖ１におけるウェブＷの伸び量に比して小さくなるため、相対的にウェブＷは幅方向に収縮する。このとき、幅見当修正装置は、ウェブＷの伸び量を走行速度Ｖ１と同程度とすべく、ローラ押圧機構３７によりローラ部５０の突出量を減少させることにより、幅方向におけるウェブＷの収縮量を減少させる。
【００７９】
一方、ウェブＷが所定の走行速度Ｖ２で搬送されると共に幅方向におけるウェブＷの延伸が発生していない状態において、ウェブＷの走行速度Ｖ２が走行速度Ｖ１まで減少すると、ウェブＷのテンションは減少する。このため、走行速度Ｖ１におけるウェブＷの伸び量は、走行速度Ｖ２におけるウェブＷの伸び量に比して大きくなるため、相対的にウェブＷは幅方向に延伸する。このとき、幅見当修正装置３５は、ウェブＷの伸び量を走行速度Ｖ２と同程度とすべく、ローラ押圧機構３７によりローラ部５０の突出量を増大させることにより、幅方向におけるウェブＷの収縮量を増大させる。
【００８０】
以上の構成においても、第２テンション検出ローラ３０によりウェブＷのテンションを検出し、この検出結果に基づいて、ローラ押圧機構３７によりローラ部５０の突出量を変化させることで、幅方向に延伸したウェブＷの幅を修正することができ、ファンアウトの発生を抑制することができる。
【００８１】
なお、実施例１および実施例２に係る幅見当修正装置のローラ押圧機構３７は、ウェブＷの一方の片面のみを押圧していたが、ローラ押圧機構（図１において点線により図示）を他方の片面に設け、一対のローラ押圧機構３７によりウェブＷの両面から押圧してもよい。また、第２幅見当修正手段として、ローラ押圧機構３７を用いたが、これに代えて、エアーによりウェブの一部を突出させるエアー噴射機構を用いても良い。
【００８２】
また、実施例１および実施例２に係る幅見当修正装置では、第２テンション検出ローラ３０を用いて、ウェブＷのテンションの検出を行ったが、第１テンション検出ローラ２７を用いて、ウェブＷのテンションの検出を行っても良い。さらに、実施例２に係る幅見当修正装置において、ウェブＷのテンションを検出可能なロードセル６１をローラ押圧機構３７に組み込むことにより、ローラ押圧機構３７にテンションを検出する機能を付加しても良い。この構成によれば、ローラ押圧機構３７は、ウェブＷのテンションを検出しながら、ウェブＷの幅を修正することができる。
【産業上の利用可能性】
【００８３】
以上のように、本発明に係る幅見当修正装置は、ファンアウトが発生する輪転印刷機に有用であり、特に、新聞用オフセット輪転印刷機に適している。
【符号の説明】
【００８４】
１      輪転印刷機
１１    給紙装置
１２    インフィード装置
１３ａ，１３ｂ  印刷装置
１４    ウェブパス装置
１５    折機
２０    保持アーム
２３    制動装置
２５    インフィードローラ
２６    ダンサーローラ
２７    第１テンション検出ローラ
３０    第２テンション検出ローラ
３１    ドラグローラ
３５    幅見当修正装置
３７    ローラ押圧機構
３８    制御部
Ｒ      巻取紙
Ｗ      ウェブ
【図１】
2010167714.tif 000003
【図２】
2010167714.tif 000004
【図３】
2010167714.tif 000005
【図４】
2010167714.tif 000006
【図５】
2010167714.tif 000007
【図６】
2010167714.tif 000008